(57)【要約】【課題】  誤操作により係合部と被係合部とが係合することを防止できるクランプの誤操作防止具を提供すること。【解決手段】  両端側に設けられた係合部１６と被係合部１７ａとが係合して環状になる本体１１と、本体１１の内部に分岐管３２を挿通させた状態で係合部１６と被係合部１７ａとを係合させたときに分岐管３２を押圧する支受凸部１４と押圧凸部１５とからなる押圧部とを備えたクランプ１０における係合部１６と被係合部１７ａとが係合することを防止する誤操作防止具２０である。誤操作防止具２０は、本体１１の両端側の少なくとも一方に着脱可能に取り付けられ、係合部１６と被係合部１７ａとが係合することを防止できる。【選択図】  図７
2012075520.tif 000002
【特許請求の範囲】
【請求項１】
両端側に互いに係合可能な係合部と被係合部とが設けられた弾性体からなり弾性に抗して前記両端側どうしが接近するように曲げられることにより前記係合部と前記被係合部とが係合して環状になる本体と、
前記本体の内周側に設けられ、前記本体の内部にチューブ状部材を挿通させた状態で前記係合部と前記被係合部とを係合させたときに前記チューブ状部材を押圧する部分と
を備えたクランプにおける前記係合部と前記被係合部とが係合することを防止するクランプの誤操作防止具であって、
前記本体における前記被係合部が設けられた端部側に着脱可能に取り付けられ、前記両端部どうしが接近する際に前記両端部間に介在することを特徴とするクランプの誤操作防止具。
【請求項２】
対向して配置された一対の縦片と前記一対の縦片の上端部を接続する連結部とで構成され、前記一対の縦片間に、前記本体における前記被係合部が設けられた端部側部分を挿入可能にした請求項１に記載のクランプの誤操作防止具。
【請求項３】
前記クランプにおける前記係合部が前記本体の一端に形成された突部で構成されているとともに、前記被係合部が前記本体の他端側に形成された凹部で構成されており、前記クランプにおける前記本体の他端側の内面、先端面および外面を覆うことのできる部材で構成されている請求項１または２に記載のクランプの誤操作防止具。
【請求項４】
前記クランプにおける前記凹部が、前記両端部が互いに接近する方向に直交する方向に延びる段部または溝部で構成されており、前記クランプにおける前記本体の他端部に対して前記段部または溝部が延びる方向にスライドさせて係合できるようにした請求項３に記載のクランプの誤操作防止具。
【請求項５】
把持部が備わっている請求項３または４に記載のクランプの誤操作防止具。
【発明の詳細な説明】
【技術分野】
【０００１】
本発明は、チューブ状部材を閉塞したりチューブ状部材内を流れる液体の流量を調節したりするためのクランプの誤操作を防止するクランプの誤操作防止具に関する。
【背景技術】
【０００２】
従来から、例えば、患者に対して薬液や血液等の液体を、チューブを備えた医療セットを用いて供給することが行われている。このような場合に、チューブを閉塞したり、チューブ内を流れる液体の流量を調節したりするためにクランプが用いられている（例えば、特許文献１参照）。このクランプは、湾曲した板状体で構成され、その板状体をさらに曲げることにより両端部が係合可能になっている。また、このクランプには、チューブを挿通させる一対の挿通孔と、両端部が係合したときに、チューブを押圧する押圧部とが備わっている。このため、一対の挿通孔にチューブを通しその状態で両端部を係合させることによりチューブを閉塞することができる。また、両端部が係合した状態のクランプをクランプガードで覆うことにより、クランプを両端部が係合した状態に維持できる。
【先行技術文献】
【特許文献】
【０００３】
【特許文献１】米国特許出願公開第２００８／０２９４１２２  Ａ１号明細書
【発明の概要】
【０００４】
しかしながら、前述した従来のクランプは、両端部が係合した状態のクランプをクランプガードで覆うことにより、クランプを両端部が係合した状態に維持できるが、両端部が係合していない状態のクランプが不意に押圧されて両端部が係合することを防止することはできない。このクランプは、ガイドワイヤの挿入補助をするスタイレットを内部に通すカテーテルの分岐管に組み付けられる場合もある。このような場合に、スタイレットをカテーテルに挿入した状態でクランプの両端を係合させてしまうと、スタイレットの内腔を潰してしまい、後の操作でガイドワイヤをスタイレットに通すことができなくなることがある。このような誤操作を防止するために、従来は、クランプを購入した際に、注意書きが記載されたタグが取り付けられていたがこれだけでは十分でなく、誤操作を防止するための装置の開発が望まれていた。
【０００５】
本発明は、前述した問題に対処するためになされたもので、その目的は、誤操作により係合部と被係合部とが係合することを防止できるクランプの誤操作防止具を提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００６】
前述した目的を達成するため、本発明に係るクランプの誤操作防止具の構成上の特徴は、両端側に互いに係合可能な係合部（１６）と被係合部（１７ａ）とが設けられた弾性体からなり弾性に抗して両端側どうしが接近するように曲げられることにより係合部と被係合部とが係合して環状になる本体（１１）と、本体の内周側に設けられ、本体の内部にチューブ状部材（３２）を挿通させた状態で係合部と被係合部とを係合させたときにチューブ状部材を押圧する部分（１４，１５）とを備えたクランプにおける係合部と被係合部とが係合することを防止するクランプの誤操作防止具（２０）であって、本体における被係合部が設けられた端部側に着脱可能に取り付けられ、両端部どうしが接近する際に両端部間に介在することにある。
【０００７】
本発明に係るクランプの誤操作防止具は、クランプの両端部間に介在することにより、係合部と被係合部とが係合することを防止できる機能を備えている。このため、例えば、製品出荷時などクランプの係合部と被係合部とが係合することにより不都合が生じる場合には、誤操作防止具をクランプに取り付けることにより、不意に力が加わってクランプの係合部と被係合部とが係合してしまうことを防止できる。この誤操作防止具は、クランプの本体の被係合部が設けられた端部側に着脱可能に取り付けられるものであればよく、係合部と被係合部とが接触することを防止することによって、係合部と被係合部とが係合することを防止できる構造のものであればよい。また、係合部と被係合部は、クランプの本体の両端部に設けてもよいし、端部近傍に設けてもよい。
【０００８】
また、本発明に係るクランプの誤操作防止具の他の構成上の特徴は、対向して配置された一対の縦片と一対の縦片の上端部を接続する連結部とで構成され、一対の縦片間に、本体における被係合部が設けられた端部側部分を挿入可能にしたことにある。これによると、クランプの誤操作防止具を本体における被係合部が設けられた端部側部分に被せるようにしてクランプに取り付けることができるため取付操作が容易になるとともに、クランプの誤操作防止具を簡単な構造にして、係合部と被係合部とが係合することを確実に防止できる。
【０００９】
また、本発明に係るクランプの誤操作防止具の他の構成上の特徴は、クランプにおける係合部が本体の一端に形成された突部（１６）で構成されているとともに、被係合部が本体の他端側に形成された凹部（１７ａ）で構成されており、クランプにおける本体の他端側の内面、先端面および外面を覆うことのできる部材で構成されていることにある。
【００１０】
本発明に係るクランプの誤操作防止具は、本体の他端側の内面、先端面および外面を覆うことのできる部材で構成されているため、本体の他端部の内面と外面とを挟んだ状態でクランプに取り付けることができる。これによると、クランプの誤操作防止具を簡単な構造にして、係合部と被係合部とが係合することを確実に防止できる。
【００１１】
また、本発明に係るクランプの誤操作防止具のさらに他の構成上の特徴は、クランプにおける凹部が、両端部が互いに接近する方向に直交する方向に延びる段部または溝部で構成されており、クランプにおける本体の他端部に対して段部または溝部が延びる方向にスライドさせて係合できるようにしたことにある。これによると、クランプに対する誤操作防止具の着脱操作が容易になる。
【００１２】
また、本発明に係るクランプの誤操作防止具のさらに他の構成上の特徴は、把持部（２４）が備わっていることにある。これによると、誤操作防止具をクランプに着脱する際の操作がし易くなる。この把持部は、クランプの誤操作防止具のどの部分に設けてもよいが、クランプの本体の先端面または外面を覆う部分に設けることが好ましい。
【図面の簡単な説明】
【００１３】
【図１】本発明の一実施形態に係る誤操作防止具が取り付けられたクランプの前部側を左上方向から見た状態を示した斜視図である。
【図２】図１のクランプの後部側を左上方向から見た状態を示した斜視図である。
【図３】誤操作防止具が取り外されたクランプの前部側を左上方向から見た状態を示した斜視図である。
【図４】図３のクランプの後部側を左上方向から見た状態を示した斜視図である。
【図５】誤操作防止具の前部側を左上方向から見た状態を示した斜視図である。
【図６】誤操作防止具の後部側を左上方向から見た状態を示した斜視図である。
【図７】図１に示したクランプをカテーテルの分岐管に取り付けた状態を示した側面図である。
【発明を実施するための形態】
【００１４】
以下、本発明の一実施形態を図面を用いて説明する。図１および図２は、同実施形態に係る誤操作防止具２０が取り付けられたクランプ１０を示しており、図３および図４は、誤操作防止具２０が取り外されたクランプ１０を示している。本実施形態では、図１に示したクランプ１０の右下側が前部で左上側が後部であるとして説明する。このクランプ１０は、ポリプロピレンを一体成形して形成されており、細長い板体が、側面が略三角形になるように形成された形状の弾性を備えた本体１１に、挿通孔１２，１３、支受凸部１４および押圧凸部１５を設けて構成されている。なお、クランプ１０を構成する樹脂としては、ポリプロピレンの他、ＡＢＳ，ポリアセタール、ポリエチレン等を用いることもできる。
【００１５】
本体１１は、前部片１１ａと、底部１１ｂと、上部片１１ｃとで構成されており、底部１１ｂと上部片１１ｃとが略同じ長さで、前部片１１ａがそれらよりも僅かに短くなっている。また、前部片１１ａと底部１１ｂとの間および底部１１ｂと上部片１１ｃとの間はそれぞれ滑らかに湾曲した曲面部で構成されている。上部片１１ｃは、力が加わっていない状態では、底部１１ｂに対して略４５度程度の角度になって底部１１ｂの後部から斜め上方に延びており、その先端部は、前部片１１ａの先端部（上端部）から離れた位置にある。
【００１６】
そして、上部片１１ｃが下方に押圧されると、底部１１ｂと上部片１１ｃとの間の曲面部がさらに屈曲して上部片１１ｃの先端部は前部片１１ａの先端部に接近し、さらに前部片１１ａの内面下方側に移動していく。上部片１１ｃの先端部には、側方から見た状態で、上部片１１ｃの上面に対して鋭角になる傾斜面が形成されており、この傾斜面と上部片１１ｃの上面との間の鋭角の角部で突部からなる係合部１６が構成される。この係合部１６で本発明に係る突部が構成される。また、係合部１６における幅方向の中央部分に、前方に突出する突部１６ａが設けられ、上部片１１ｃの先端側部分の上面には、左右に延びる複数の突条からなる滑り止め用の凹凸部１６ｂが形成されている。
【００１７】
前部片１１ａは、力が加わっていない状態では、底部１１ｂに対して直角よりもやや後部側に傾く程度の角度で底部１１ｂの前部から上方に延びている。そして、前部片１１ａの内面における先端側部分は底部１１ｂ側部分よりも厚み方向に膨らんだ肉厚部１７が形成され、この肉厚部１７の下端部に、係合部１６と係合可能な段部（凹部）からなる被係合部１７ａが形成されている。この被係合部１７ａは、上部片１１ｃを下方に押圧したときに、上部片１１ｃの先端部が前部片１１ａの先端部に接近していく方向に対して直交する方向に真直ぐに延びている。また、前部片１１ａの幅方向の中央には、肉厚部１７の上部から肉厚部１７の下方にかけて延びる縦孔と縦孔の下端から左右に水平に延びる横孔とからなる孔部１７ｂが形成されている。この孔部１７ｂには、上部片１１ｃの突部１６ａが上下に通過できる。
【００１８】
また、前部片１１ａにおける肉厚部１７の先端には、外部側から内部側に向かって下り傾斜になった傾斜部１７ｃが形成されており、この傾斜部１７ｃの上端部は、前部片１１ａよりも前方に突出している。上部片１１ｃを弾性に抗して下方に押圧すると、突部１６ａが傾斜部１７ｃの上部側に当接し、その後傾斜部１７ｃに沿って下方に移動する。その突部１６ａの移動によって、前部片１１ａの上部は外部側に押圧されて前部側に傾斜する。そして、突部１６ａが傾斜部１７ｃを通過すると、孔部１７ｂ内に入り、前部片１１ａは突部１６ａによる押圧を解除され元の状態に戻ろうとする。この場合、前部片１１ａは、まだ係合部１６によって前方に付勢された状態になっている。
【００１９】
そして、突部１６ａが孔部１７ｂの横孔に到達したときに、係合部１６と被係合部１７ａとが係合する。このとき、前部片１１ａは元の状態に戻ろうとして後部側に付勢されるため、係合部１６と被係合部１７ａとの係合状態が維持される。また、突部１６ａを横に移動させて孔部１７ｂの横孔の縁部に係合させると、係合部１６と被係合部１７ａとの係合状態はさらに確実に維持される。係合部１６と被係合部１７ａとの係合を解除する場合には、前部片１１ａの上部を前方に傾ける。これによって、係合部１６と被係合部１７ａとの係合が解除され、上部片１１ｃは弾性によって元の状態に戻る。
【００２０】
挿通孔１２は、前部片１１ａと底部１１ｂとの境界の曲面部の内面側に形成された筒状挿通部１２ａ内の貫通孔で構成される。筒状挿通部１２ａは、前部片１１ａと底部１１ｂとの境界部分から本体１１の内部側に向って斜め上方に延びる短い筒体で構成されており、その先端面は、開口がやや上方を向くように傾斜した面に形成されている。挿通孔１３は、底部１１ｂと上部片１１ｃとの境界の曲面部に形成された縦長の楕円状の貫通孔で構成されている。この挿通孔１３は、挿通孔１２に対向するように配置されており、底部１１ｂに対して前部片１１ａと上部片１１ｃとを常態からさらに湾曲させても、挿通孔１２の延長線上に挿通孔１３が位置するようにして形成されている。
【００２１】
支受凸部１４は、底部１１ｂの上面に形成されており、側方から見た形状が略三角形に形成されている。すなわち、支受凸部１４は、底部１１ｂにおける前部片１１ａ側部分から筒状挿通部１２ａの下部を支持するようにして後部斜め上方に向かって延びる傾斜部１４ａと、傾斜部１４ａの上端部から底部１１ｂの後部側に向かって下方に傾斜して延びる長さの短い傾斜部１４ｂとで構成されている。また、傾斜部１４ａと傾斜部１４ｂとの連結部の上面は縁部に沿って左右に延び上方に向かって半円状に膨らんだ滑らかな曲面で構成されている。
【００２２】
押圧凸部１５は、上部片１１ｃの下面に形成されており、側方から見た形状が略三角形に形成されている。すなわち、押圧凸部１５は、上部片１１ｃにおける前部から後部斜め下方に向かって延びる傾斜部１５ａと、傾斜部１５ａの下端部から上部片１１ｃの略中央部に向かって上方に傾斜して延びる長さの短い傾斜部１５ｂとで構成されている。また、傾斜部１５ａと傾斜部１５ｂとの連結部の下面は縁部に沿って左右に延び下方に向かって半円状に膨らんだ滑らかな曲面で構成されている。なお、傾斜部１５ａの前部下面は係合部１６の下面と同一面上で連なっている。
【００２３】
このため、係合部１６と被係合部１７ａとを係合させるように、前部片１１ａと上部片１１ｃとを曲げていくと、押圧凸部１５は、下端の曲面を支受凸部１４の上端の曲面に対向させた状態で接近していく。このため、後述するカテーテル３０の分岐管３２を挿通孔１２，１３に通し、その状態で係合部１６と被係合部１７ａとを係合させると、支受凸部１４と押圧凸部１５とに上下から押圧されて分岐管３２は閉塞する。この支受凸部１４と押圧凸部１５とで、本発明に係るチューブ状部材を押圧する部分が構成される。
【００２４】
誤操作防止具２０は、クランプ１０の前部片１１ａに着脱可能に取り付けられて、係合部１６と被係合部１７ａとが係合することを防止するためのもので、ポリエチレンやポリプロピレン等の硬質樹脂を一体成形して形成されている。この誤操作防止具２０は、図５および図６に示したように、前面部２１と、後面部２２と、前面部２１と後面部２２とを連結する連結部２３と、連結部２３に設けられた棒状の把持部２４とで構成されている。前面部２１と後面部２２とで本発明に係る一対の縦片が構成される。前面部２１は、上下方向の長さよりも左右方向の長さが僅かに長くなった四角板状に形成され、内面の上部に左右に延びる溝状の凹部２１ａが形成されている。この凹部２１ａは、前部片１１ａの上端に形成された傾斜部１７ｃの突出した前部を収容できる大きさに形成されている。
【００２５】
後面部２２は、前面部２１と同じ幅で縦長の四角板状に形成されている。後面部２２は、内面（前面）の下部側部分が上部側部分よりも僅かに前方に突出することにより下部側部分が上部側部分よりも肉厚に形成されている。そして、後面部２２の内面における下部側部分と上部側部分との間に左右に延びる段部２２ａが形成されている。この段部２２ａは、前部片１１ａの被係合部１７ａに係合できる形状に形成されている。すなわち、後面部２２の内面は、上部側部分を前部片１１ａの肉厚部１７の内面に沿わせ、下部側部分を前部片１１ａの内面における肉厚部１７の下方の部分に沿わせることにより、前部片１１ａの内面に接面することができる。そして、後面部２２の内面を前部片１１ａの内面に合わせたときに、段部２２ａと被係合部１７ａとが係合する。
【００２６】
連結部２３は、前面部２１および後面部２２と同じ幅で前面部２１と後面部２２との上端部を連結しており、前面部２１と後面部２２との内面間に、前部片１１ａを入れることのできる間隔を保たせて前面部２１と後面部２２とを連結している。また、連結部２３の下面は、前部片１１ａの傾斜部１７ｃに沿うことのできる傾斜面２３ａで構成されており、この傾斜面２３ａを形成することによって、連結部２３は、前部側から後部側に向かうほど徐々に肉厚になっている。また、後面部２２と連結部２３との連結部の外面には傾斜面２５が形成されている。
【００２７】
すなわち、前面部２１、後面部２２および連結部２３の内面は、前部片１１ａの先端側部分の側面を除く外面にぴったりと接するように形成されている。このため、前面部２１、後面部２２および連結部２３で構成される部分の内部に前部片１１ａの先端側部分を挿入したときには、誤操作防止具２０と前部片１１ａとの間にがたつきが生じなくなる。また、前面部２１、後面部２２および連結部２３で構成される部分は、凹部２１ａを傾斜部１７ｃに合わせるとともに、段部２２ａを被係合部１７ａに合わせて、前部片１１ａに対してスライドさせることにより、前部片１１ａに着脱することができる。このため、誤操作防止具２０は、前部片１１ａに対して前後方向や上下方向には外れることがなくなり、前部片１１ａに確実に固定できる。また、前面部２１、後面部２２および連結部２３の内面で形成される形状が、誤操作防止具２０が前部片１１ａに対してスライドする際のガイドになる。
【００２８】
把持部２４は、連結部２３の上部における前部側部分に棒状に形成されており、両端が連結部２３の左右両側から突出している。また、把持部２４の上部は、連結部２３の上面よりも僅かに上方に突出しており、把持部２４の中央側上部は、左右両側の上部と連続する曲面状に形成されている。そして、図５，６には図示を省略しているが、把持部２４の上部における左右方向の中央には、後述するスタイレットの把持部３４から延びてくる紐状の連結部２４ａ（図７参照）が接続されている。
【００２９】
このように構成された誤操作防止具２０は、図１および図２に示したようにして、クランプ１０の前部片１１ａに取り付けられる。この場合、把持部２４を手で持って誤操作防止具２０を前部片１１ａの側方から前部片１１ａに近づけ、凹部２１ａを傾斜部１７ｃに合わせるとともに、段部２２ａを被係合部１７ａに合わせて、誤操作防止具２０を前部片１１ａに対してスライドさせることにより、誤操作防止具２０を前部片１１ａに取り付けることができる。このとき、突部１６ａは、連結部２３の上面に位置し、係合部１６は、傾斜面２５に位置する。そして、このようにして、誤操作防止具２０が取り付けられたクランプ１０は、図７に示した製品出荷前のカテーテル３０に取り付けられる。
【００３０】
カテーテル３０は、細長いカテーテル本体３１と、カテーテル本体３１の後端部に設けられた分岐部３１ａと、分岐部３１ａから互いに分岐して延びる２本の分岐管３２，３３とで構成されており、分岐管３２，３３は、それぞれ分岐部３１ａに形成された分岐孔を介してカテーテル本体３１に連通している。また、カテーテル本体３１と分岐管３２とは直線状に延びており、分岐管３３はカテーテル本体３１に対して傾斜して延びている。また、図示は省略するが、カテーテル本体３１の内部には二つの内腔が形成されており、一方の内腔は、分岐部３１ａを介して分岐管３２に連通し、他方の内腔は、分岐部３１ａを介して分岐管３３に連通している。
【００３１】
このカテーテル３０は、例えば血液透析に用いることができ、一方の内腔を体内から血を取り出す脱血用として用い、他方の内腔を透析した血を体内に送る送血用として用いることができる。そして、分岐管３２，３３の後端部３２ａ，３３ａには、それぞれ体内の血液を吸引するための装置や透析した血を体内に送るための供給装置が接続される。また、分岐管３２の後端部３２ａからカテーテル本体３１の先端部にかけての内部には、挿入補助用のスタイレットが挿入されている。
【００３２】
このスタイレットは、細径筒状の内芯の後端部に把持部３４を設けた構成をしており、内部にガイドワイヤ（図示せず）を挿通させるための挿通孔が形成されている。そして、分岐管３２に、誤操作防止具２０が取り付けられたクランプ１０が取り付けられている。誤操作防止具２０は、連結部２４ａによってスタイレットの把持部３４に連結されているため、スタイレットをカテーテル３０から抜き出したときにはクランプ１０から外される。これによって、クランプ１０の係合部１６と被係合部１７ａとは係合可能な状態になる。また、分岐管３３には、誤操作防止具２０が取り付けられていない他のクランプ１０ａが取り付けられている。このクランプ１０ａは、クランプ１０と略同じ構成をしているため説明は省略する。
【００３３】
このように、製品出荷前のカテーテル３０は、クランプ１０の係合部１６と被係合部１７ａとが係合することを誤操作防止具２０によって防止されているため、クランプ１０に物が当たって、不意に係合部１６と被係合部１７ａとが係合するといったことが防止される。このため、係合部１６と被係合部１７ａとの係合によって分岐管３２内のスタイレットが支受凸部１４と押圧凸部１５とによって押し潰されることが防止される。なお、分岐管３３にもクランプ１０ａが取り付けられているが、分岐管３３にはスタイレットが挿入されていないため、クランプ１０ａの係合部と被係合部とが不意に係合したとしても特に支障は生じない。
【００３４】
カテーテル３０を用いて血液透析をする場合には、まず、スタイレットの先端がカテーテル本体３１の先端から突出した状態のカテーテル３０を体内に挿入してカテーテル本体３１の先端を血管に到達させる。つぎに、カテーテル３０からスタイレットを抜去する操作を行う。この場合、把持部２４を手で持って誤操作防止具２０をクランプ１０の側方にスライドさせてクランプ１０から外したのちに、スタイレットの把持部３４を分岐管３２の後方外部側に引っ張ってスタイレットをカテーテル３０から抜き取る。つぎに、分岐管３２，３３の後端部３２ａ，３３ａに、それぞれ血液を吸引する装置や血液を体内に供給する装置を接続する。
【００３５】
そして、各装置を作動させて血液の透析を行う。これによって、体内の血液は体外に取り出され透析されたのちに体内に戻される。また、処置を中断する場合などには、適宜、クランプ１０の係合部１６と被係合部１７ａやクランプ１０ａの係合部と被係合部を係合させて分岐管３２，３３を閉塞する。長時間の使用によりカテーテル３０を新しいカテーテル３０と交換する場合には、ガイドワイヤを用いる。この場合、分岐管３２の後端部３２ａからカテーテル本体３１の先端部に向けてガイドワイヤを挿入し、その先端を血管に到達させる。ついで、ガイドワイヤを体内に残したまま、カテーテル３０を体内から抜き取る。
【００３６】
つぎに、新しいカテーテル３０に挿入されたスタイレットの内部にガイドワイヤを挿入し、カテーテル３０とスタイレットをガイドワイヤとともに体内に挿入していく。そして、カテーテル本体３１の先端が血管に到達したところで、カテーテル３０を体内に残したままスタイレットとガイドワイヤとを体内から取り出す。これによって、カテーテル３０の交換が終了する。この操作において、スタイレットをカテーテル３０内に挿入しているときには、クランプ１０に誤操作防止具２０を取り付けておくことが好ましい。
【００３７】
なお、カテーテル３０の交換の際に、ガイドワイヤだけでなく、スタイレットも用いるのは、ガイドワイヤだけを用いた場合には、ガイドワイヤがカテーテル３０の内部でがたついてしまい、操作がし難くなるためである。スタイレットを用いることにより、ガイドワイヤのカテーテル３０内でのがたつきを防止できるとともに、カテーテル３０の剛性を大きくすることができ、挿入操作をスムーズに行える。このとき、スタイレットが押し潰されてなく、ガイドワイヤがスムーズに挿通できる状態に維持されていることが重要である。
【００３８】
このように、本実施形態に係る誤操作防止具２０には、前面部２１、後面部２２および連結部２３が備わっており、これによって、クランプ１０の係合部１６と被係合部１７ａとが係合できない状態にすることができる。また、誤操作防止具２０は、連結部２４ａによってスタイレットに連結されている。このため、クランプ１０をカテーテル３０の分岐管３２に取り付けたときには、カテーテル３０内にスタイレットを挿入しているときだけ、誤操作防止具２０をクランプ１０に取り付けることができ、スタイレットをカテーテル３０から抜き取るときには誤操作防止具２０はクランプ１０から取り外される。
【００３９】
これによって、スタイレットがカテーテル３０内に挿入されているときに、不意にクランプ１０の係合部１６と被係合部１７ａとが係合してスタイレットが押し潰されることを防止できる。また、カテーテル３０内にスタイレットが挿入されていない場合には、必要に応じて、クランプ１０を操作して係合部１６と被係合部１７ａとを係合させることによりカテーテル３０の分岐管３２を閉塞させることができる。また、誤操作防止具２０の把持部２４を除いた本体部分は、クランプ１０の前部片１１ａの内面、先端面および外面を覆うことができる単純な構造の部材で構成されている。このため、製造が容易であるとともに安価につき、さらに、係合部１６と被係合部１７ａとが係合することを確実に防止できる。
【００４０】
また、誤操作防止具２０をクランプ１０の側方側にスライドさせることによりクランプ１０に対して着脱できるため誤操作防止具２０の着脱操作が容易になる。さらに、誤操作防止具２０には、把持部２４が備わっているため、誤操作防止具２０を操作する際には、把持部２４を手で持つことにより、操作がし易くなる。
【００４１】
また、本発明に係るクランプの誤操作防止具は、前述した実施形態に限定するものでなく、本発明の技術的範囲内で適宜変更実施が可能である。例えば、前述した実施形態では、誤操作防止具２０に把持部２４が備わっているが、この把持部２４は設けずに、前面部２１、後面部２２および連結部２３で誤操作防止具を構成してもよい。また、前述した誤操作防止具２０では、後面部２２の下端部が前部片１１ａの被係合部１７ａを覆うところまで延びているが、後面部２２の縦方向の長さは、前面部２１の縦方向の長さと同程度にしてもよい。すなわち、誤操作防止具２０は、前部片１１ａの先端側部分に係合して、上部片１１ｃの先端に形成された突部１６ａが連結部２３よりも下方に移動することを妨げることができるものであればよい。
【００４２】
また、誤操作防止具は、前部片１１ａと上部片１１ｃとの間に介在して、係合部１６と被係合部１７ａとが係合することを防止できる構造のものであればよい。さらに、前述した実施形態では、係合部を、上部片１１ｃの先端に形成された角部からなる突部で構成しているが、これに代えて突部１６ａのような上部片１１ｃの先端から突出する突部で構成してもよい。また、被係合部１７ａは、段部でなく溝状の凹部で構成してもよい。さらに、前述した実施形態では、誤操作防止具２０を連結部２４ａによってスタイレットに連結しているが、連結部２４ａを設けず、スタイレットとは切り離して使用できるようにしてもよい。また、誤操作防止具２０が取り付けられるクランプとしては、一対の挿通孔が設けられてなく、環状に形成される本体の環状内にチューブ状部材を通すようにしたものを用いてもよい。
【符号の説明】
【００４３】
１０…クランプ、１１…本体、１１ａ…前部片、１１ｃ…上部片、１４…支受凸部、１５…押圧凸部、１６…係合部、１７ａ…被係合部、２０…誤操作防止具、２１…前面部、２２…後面部、２３…連結部、２４…把持部、３２…分岐管。
【図１】
2012075520.tif 000003
【図２】
2012075520.tif 000004
【図３】
2012075520.tif 000005
【図４】
2012075520.tif 000006
【図５】
2012075520.tif 000007
【図６】
2012075520.tif 000008
【図７】
2012075520.tif 000009